(57)【要約】【課題】コストを削減するとともに操作性及び外観性を向上させることが可能なモニタ装置を提供する。【解決手段】筐体１１と、筐体１１に回動可能に支持されるモニタ１２と、モニタ１２を筐体１１に保持する保持機構２９と、モニタ１２を回動させる際に操作されるボタン１３とを備え、モニタ１２が筐体１１に保持された状態で、ボタン１３が押圧操作されることにより、モニタ１２の一端面１２ｃに隣接して空間３５が形成され、ボタン１３が押圧操作された状態でモニタ１２の一端面１２ｃに加わる外力によりモニタ１２を回動可能である。【選択図】図９
2018090193.tif 000002
【特許請求の範囲】
【請求項１】
ベース部と、前記ベース部に回動可能に支持されるモニタと、前記モニタを前記ベースに保持する保持機構と、前記モニタを回動させる際に操作される操作部とを備え、
前記モニタが前記ベース部に保持された状態で、前記操作部が押圧操作されることにより、前記モニタの縁部に隣接して空間が形成され、前記操作部が押圧操作された状態で前記モニタの縁部に加わる外力により前記モニタを回動可能であることを特徴とするモニタ装置。    
【請求項２】
前記操作部を指で押圧操作することにより、前記操作部を押圧した指を挿入可能な前記空間が形成され、前記操作部を押圧した指を前記空間に挿入して前記モニタの縁部を操作可能になることを特徴とする請求項１に記載のモニタ装置。
【請求項３】
前記保持機構は、前記ベース部に対して前記モニタを静止状態に保持する所定の保持力を有することを特徴とする請求項１又は２に記載のモニタ装置。
【請求項４】
前記ベース部に凹部が形成され、前記モニタが前記凹部内に収納された状態では、前記ベース部の外表面、前記モニタの外表面及び前記操作部の押圧面は、面一に配置されることを特徴とする請求項１乃至３のいずれか一項に記載のモニタ装置。
【請求項５】
前記モニタの縁部は、凹形状の指掛け部を備えることを特徴とする請求項１乃至４のいずれか一項に記載のモニタ装置。
【請求項６】
前記モニタが前記凹部内に収納された状態では、前記モニタの表示部は、前記凹部の底に面していることを特徴とする請求項１乃至５のいずれか一項に記載のモニタ装置。
【請求項７】
前記モニタが前記凹部内に収納された状態では、前記モニタは、ロック機構によって係止され、前記ロック機構は、前記ベース部に揺動可能に設けられるとともに前記モニタに係止可能とされたフックと、前記フックを前記モニタに係止する方向に付勢する弾性部材とで構成され、前記フックは、前記操作部の操作に連動して前記モニタとの係止が解除されることを特徴とする請求項１乃至６のいずれか一項に記載のモニタ装置。
【請求項８】
前記操作部は、前記モニタの縁部に臨んで配置され、
前記操作部が押圧操作されることにより、前記操作部が移動して前記空間が前記モニタの縁部に隣接して形成されることを特徴とする請求項１乃至７のいずれか一項に記載のモニタ装置。
【発明の詳細な説明】
【技術分野】
【０００１】
本発明は、モニタ装置に関する。
【背景技術】
【０００２】
従来、モニタ装置として、筐体の内部にモニタが回動可能に収納され、モニタの回転軸にギアダンパが設けられ、モニタがモニタ係止フックで係止可能とされた構造が開示されている（例えば、特許文献１参照）。モニタ係止フックの近傍には係止解除ボタンが設けられ、係止解除ボタンを押すことで、モニタ係止フックが回動され、モニタとモニタ係止フックとの係止状態が解除される。この結果、モニタは、バネに付勢されて回動する。
【０００３】
また、モニタ装置として、筐体に回動可能に設けられたモニタが、クランプとプッシュラッチとによってロック又はロック解除される構造が開示されている（例えば、特許文献２参照）。この構造では、モニタを上方に押圧することにより、モニタの一部がクランプを介してプッシュラッチをバネの弾性力に抗して押すことで、プッシュラッチがロックし、クランプがモニタ側に戻らなくなり、クランプとモニタとの係止状態が解除される。この状態でモニタの押圧をやめると、モニタが自重によって又はモニタの自重及びバネの付勢力によって下方に回動する。
【０００４】
モニタの収納状態でのロック又はロック解除及びモニタの回動に関わる部品として、特許文献１では、モニタ係止フック用バネ、係止解除ボタン用バネ、ギアダンパ、モニタを開く方向に付勢するバネが設けられ、特許文献２では、プッシュラッチ、クランプをモニタに係止する方向に付勢するバネ、モニタを開く方向に付勢するバネが設けられる。
【先行技術文献】
【特許文献】
【０００５】
【特許文献１】国際公開第２０１１／０１６０９３号
【特許文献２】特許第５３３５０８９号公報
【発明の概要】
【発明が解決しようとする課題】
【０００６】
特許文献１及び特許文献２では、モニタの回動や係止のための部品数が多くなり、コストアップを招いている。
また、特許文献２において、モニタが車両等の移動体に搭載され、モニタが下方に回動して使用状態にされたときに、移動体の振動に伴うモニタの振れを抑制するために、筐体に対してモニタには回動の抵抗となる回動トルクが設定されるのが一般的である。
例えば、収納状態のモニタのロックを解除したときに、モニタの回動トルクによって、モニタが収納状態から図３に示した状態まで回動して静止した場合、その静止した位置から、モニタを鉛直又は鉛直に近い角度の使用状態まで手で回動させることになる。従って、モニタの収納状態から使用状態までに、モニタのロック解除とモニタの回動という２つの別々の操作が必要になるため、操作性の向上が望まれる。更に、モニタ装置では、外観性の向上も望まれている。
本発明は、上述した事情を鑑みてなされたものであり、コストを削減するとともに操作性及び外観性を向上させることが可能なモニタ装置を提供することを目的としている。
【課題を解決するための手段】
【０００７】
本発明は、ベース部と、前記ベース部に回動可能に支持されるモニタと、前記モニタを前記ベースに保持する保持機構と、前記モニタを回動させる際に操作される操作部とを備え、前記モニタが前記ベース部に保持された状態で、前記操作部が押圧操作されることにより、前記モニタの縁部に隣接して空間が形成され、前記操作部が押圧操作された状態で前記モニタの縁部に加わる外力により前記モニタを回動可能であることを特徴とする。
【０００８】
上記発明において、前記操作部を指で押圧操作することにより、前記操作部を押圧した指を挿入可能な前記空間が形成され、前記操作部を押圧した指を前記空間に挿入して前記モニタの縁部を操作可能になることを特徴とする。
【０００９】
上記発明において、前記保持機構は、前記ベース部に対して前記モニタを静止状態に保持する所定の保持力を有することを特徴とする。
また、上記発明において、前記ベース部に凹部が形成され、前記モニタが前記凹部内に収納された状態では、前記ベース部の外表面、前記モニタの外表面及び前記操作部の押圧面は、面一に配置されることを特徴とする。
【００１０】
また、上記発明において、前記モニタの縁部は、凹形状の指掛け部を備えることを特徴とする。
また、上記発明において、前記モニタが前記凹部内に収納された状態では、前記モニタの表示部は、前記凹部の底に面していることを特徴とする。
【００１１】
また、上記発明において、前記モニタが前記凹部内に収納された状態では、前記モニタは、ロック機構によって係止され、前記ロック機構は、前記ベース部に揺動可能に設けられるとともに前記モニタに係止可能とされたフックと、前記フックを前記モニタに係止する方向に付勢する弾性部材とで構成され、前記フックは、前記操作部の操作に連動して前記モニタとの係止が解除されることを特徴とする。
【００１２】
また、上記発明において、前記操作部は、前記モニタの縁部に臨んで配置され、前記操作部が押圧操作されることにより、前記操作部が移動して前記空間が前記モニタの縁部に隣接して形成されることを特徴とする。
【発明の効果】
【００１３】
本発明は、ベース部と、ベース部に回動可能に支持されるモニタと、モニタをベースに保持する保持機構と、モニタを回動させる際に操作される操作部とを備え、モニタがベース部に保持された状態で、操作部が押圧操作されることにより、モニタの縁部に隣接して空間が形成され、操作部が押圧操作された状態でモニタの縁部に加わる外力によりモニタを回動可能であるので、１アクションでモニタを回動させることができ、操作性を向上させることができる。また、従来のようなプッシュラッチ等が不要になり、コストを削減すことができる。また、モニタの縁部が操作部で覆われるため、外観性を向上させることができる。
【図面の簡単な説明】
【００１４】
【図１】本発明の第１実施形態のモニタ装置を示す第１斜視図である。
【図２】モニタ装置を示す第２斜視図である。
【図３】モニタ装置を示す第３斜視図である。
【図４】モニタ装置を示す第４斜視図である。
【図５】モニタ装置を示す底面図である。
【図６】モニタ装置を示す分解斜視図である。
【図７】ボタンとロック機構の一部とを示す分解斜視図である。
【図８】ボタン、ロック機構及びその周囲を示す断面図であり、図８（Ａ）は図５の８Ａ−８Ａ線断面図、図８（Ｂ）は図５の８Ｂ−８Ｂ線断面図である。
【図９】モニタ装置の作用を示す作用図であり、図９（Ａ）はモニタを筐体内に収納した状態を示す図、図９（Ｂ）はボタンを操作してモニタの回動を開始する状態を示す図、図９（Ｃ）はモニタを回動中の状態を示す図である。
【図１０】第２実施形態のモニタ装置におけるモニタが筐体内に収納された状態を示す断面図であり、図１０（Ａ）は図５の８Ａ−８Ａ線断面図に相当する図、図１０（Ｂ）は図５の８Ｂ−８Ｂ線断面図に相当する断面図である。
【図１１】モニタ装置の作用を示す作用図であり、図１１（Ａ）はモニタを筐体内に収納した状態を示す図、図１１（Ｂ）はボタンを操作してモニタの回動を開始する状態を示す図、図１１（Ｃ）はモニタを回動中の状態を示す図である。
【発明を実施するための形態】
【００１５】
以下、図面を参照して本発明の実施形態について説明する。
＜第１実施形態＞
図１は、本発明の第１実施形態のモニタ装置１０を示す第１斜視図であり、モニタ装置１０を斜め前方から見た図である。なお、図１では、モニタ装置１０は、モニタ１２の表示部１２ｂを視認可能な状態（使用状態）にある。
モニタ装置１０は、例えば、車両、船舶、航空機等の移動体の天井に設置される。ここでは、モニタ装置１０に対して、モニタ装置１０を操作する移動体の乗員の位置を前側（ＦＲ）とし、乗員から見て、モニタ装置１０に向かって左側をＬＨとする。また、上側をＵＰとする。
モニタ装置１０は、天井に固定される筐体１１と、筐体１１に回動可能に支持されたモニタ１２と、モニタ１２を回動させる際に操作されるボタン１３とを備える。
筐体１１は、モニタ１２が収納される凹部１１ａを備える。凹部１１ａは、前壁１１ｂと、左右の側壁１１ｆ，１１ｇと、底壁１１ｃとから形成されている。モニタ１２は、左右の側壁１１ｆ，１１ｇの後部に支持される。
【００１６】
モニタ１２は、筐体１１の後端部に回動軸（不図示）を備える。モニタ１２は、矩形で板状を成し、筐体１１の凹部１１ａに収納されたときに、凹部１１ａの底壁１１ｃに臨む内面１２ａに表示部１２ｂが設けられている。
モニタ１２の表示部１２ｂに表示された画像、映像等の表示内容を見るとき、即ち、モニタ１２を使用するときには、図１に示したように、モニタ１２は、鉛直又は鉛直に近い角度まで起立した起立状態とされる。
【００１７】
また、モニタ１２を使用しないときには、モニタ１２は、図１の状態から上方に回動されて筐体１１の凹部１１ａ内に収納された収納状態とされる。モニタ１２が筐体１１の凹部１１ａに収納されたときには、モニタ１２の一端面１２ｃが凹部１１ａの前壁１１ｂに対向する。また、モニタ１２の左右の他端面１２ｇ，１２ｇ（手前側の他端面１２ｇのみ図示）が凹部１１ａの左右の側壁１１ｆ，１１ｇに対向する。
モニタ１２の一端面１２ｃには、端面第１凹部１２ｄと、端面第１凹部１２ｄの両側に形成された一対の端面第２凹部１２ｅ，１２ｅとが形成されている。端面第１凹部１２ｄは、モニタ１２を手動で回動させる際に指を掛ける部分であり、また、端面第２凹部１２ｅは、筐体１１に設けられるロック機構２１（図３参照）が係止される部分である。
ボタン１３は、凹部１１ａの前壁１１ｂ内には配置されている。
【００１８】
図２は、モニタ装置１０を示す第２斜視図であり、図１に示したモニタ装置１０を斜め後方から見た図である。
筐体１１の前壁１１ｂには、ボタン１３が上下スライド可能に収納されるボタン収納部１１ｐが形成されている。また、筐体１１の前壁１１ｂの内面１１ｈには、第１開口１１ｄが形成され、ボタン収納部１１ｐが、第１開口１１ｄから凹部１１ａに露出している。筐体１１の下面１１ｑには、下部開口１１ｒが形成され、ボタン収納部１１ｐが、下部開口１１ｒから下方に露出している。ボタン１３の背面１３ａは、第１開口１１ｄから露出し、ボタン１３の下面である押圧面１３ｂは、下部開口１１ｒから露出している。
【００１９】
また、筐体１１の前壁１１ｂの内面１１ｈには、第１開口１１ｄの両側に配置された一対の第２開口１１ｅ，１１ｅが開けられている。
モニタ１２を凹部１１ａ内に係止しておくロック機構２１（図３参照）は、一対のフック２４ａ，２４ａを備える。一対のフック２４ａ，２４ａは、第２開口１１ｅ，１１ｅから凹部１１ａ内に突出している。一対のフック２４ａ，２４ａは、モニタ１２の端面第２凹部１２ｅ，１２ｅに係止可能である。
モニタ１２が使用状態のときには、モニタ１２に、移動体の加速時、減速時、旋回時等に発生する振動や揺動が作用することがある。このような振動や揺動に対しても図２に示したモニタ１２の起立状態を維持するために、モニタ装置１０には、筐体１１とモニタ１２との間に、モニタ１２を一定の保持力で保持する保持機構２９（図５参照）が設けられている。
【００２０】
図３は、モニタ装置１０を示す第３斜視図であり、図１に示したモニタ装置１０を斜め上方から見た図である。
筐体１１の前壁１１ｂの上部、詳しくは、前壁１１ｂのボタン収納部１１ｐの近傍に、ロック機構２１が設けられている。
ロック機構２１は、前壁１１ｂの上部に設けられた一対のフック支持部１１ｊ，１１ｋと、フック支持部１１ｊ，１１ｋに回動可能に支持された可動部２２とからなる。
可動部２２は、フック２４ａ，２４ａ（図２参照）が設けられたフック部材２４と、フック部材２４を一方の回動方向に付勢するねじりコイルばね２５とを備える。
フック部材２４は、フック支持部１１ｊ，１１ｋに回動可能に支持された回動軸２４ｂを備える。
筐体１１の後部には後部収納部１１ｍが設けられている。後部収納部１１ｍは、モニタ１２の回動軸３１（図５参照）及び保持機構２９（図５参照）が設けられたモニタ１２の後端部が収納されている。
【００２１】
図４は、モニタ装置１０を示す第４斜視図であり、モニタ１２を図１の起立状態から跳ね上げて収納した状態を斜め下方から見た図である。
筐体１１の下面１１ｑとボタン１３の押圧面１３ｂとを面一とし、更に、筐体１１の下面１１ｑとモニタ１２の外面１２ｆとを面一にすることで、モニタ装置１０の表面の凹凸や段差を無くした又は小さくしたフラッシュサーフェスデザインとしている。
このように、モニタ１２を筐体１１内に収納し、フラッシュサーフェスとすることで、モニタ１２の各端面（図１に示した一端面１２ｃ及び他端面１２ｇ，１２ｇ（一方の他端面１２ｇのみ図示）が外部に露出せず、外観性を向上させることができる。
【００２２】
図４に示したように、筐体１１に凹部１１ａが形成され、モニタ１２が凹部１１ａ内に収納された状態では、筐体１１の外表面（下面１１ｑ）、モニタ１２の外表面（外面１２ｆ）及びボタン１３の押圧面１３ｂは、面一に配置される。この構成によれば、モニタ装置１０の表面をフラッシュサーフェスにして、外観性を向上させることができ、デザインとして洗練された印象を与えることができる。
【００２３】
図５は、モニタ装置１０を示す底面図である。
筐体１１の輪郭は、前辺１１ｓ、後辺１１ｔ、左右の側辺１１ｕ，１１ｖを有する略矩形に形成されている。前辺１１ｓは、前方に凸にされた湾曲した曲線とされ、後辺１１ｔ及び左右の側辺１１ｕ，１１ｖは、直線とされている。また、モニタ１２の輪郭は、前辺１２ｓ、後辺１２ｔ、左右の側辺１２ｕ，１１ｖを有する矩形に形成されている。
筐体１１の後辺１１ｔとモニタ１２の後辺１２ｔとは、底面視で重なっている。筐体１１の前壁１１ｂ、左右の側壁１１ｆ，１１ｇとモニタ１２との間には、モニタ１２が回動するための隙間２７が設けられている。
【００２４】
ボタン１３（詳しくは、背面１３ａ）は、モニタ１２の一端面１２ｃに臨んで配置されるとともにモニタ１２の一端面１２ｃに近接している。また、ボタン１３は、前壁１１ｂにおいて、筐体１１の左右幅の中央に配置されている。なお、ボタン１３を、前壁１１ｂにおいて、筐体１１の左右幅の中央から左右いずれかにずれた箇所に配置しても良い。
筐体１１の左右の側壁１１ｆ，１１ｇの後部にはそれぞれ回動軸３１が固定され、各回動軸３１が、下方からキャップ２８で覆われている。あるいは、左右の側壁１１ｆ，１１ｇの後部には、それぞれ回動軸３１がキャップ２８により固定されている。
【００２５】
回動軸３１は、側壁１１ｆ又は側壁１１ｇに固定される固定部３１ａと、モニタ１２の後辺１２ｔ側に形成された左右一対の軸受穴１２ｈ，１２ｈに挿入される挿入部３１ｂとを備える。軸受穴１２ｈと挿入部３１ｂとの間には円筒状の摩擦部材３３が配置されている。摩擦部材３３は、軸受穴１２ｈ及び挿入部３１ｂに対して周方向に相対的に摺動するときに所定の摩擦力を発生させる。モニタ１２は、左右一対の挿入部３１ｂ，３１ｂに摩擦部材３３を介して回動可能に支持される。キャップ２８，２８は、筐体１１の一部を構成している。
上記した左右一対の軸受穴１２ｈ、左右一対の回動軸３１及び左右一対の摩擦部材３３は、筐体１１に対してモニタ１２を所定の保持力で保持する保持機構２９を構成する。
【００２６】
図５に示したように、保持機構２９は、筐体１１に対してモニタ１２を静止状態（モニタ１２を筐体１１の凹部１１ａ内に収納した状態、又はモニタ１２の起立状態）に保持する所定の保持力を有する。この構成によれば、モニタ１２を使用時又は不使用時に静止させておくことができる。
【００２７】
図６は、モニタ装置１０を示す分解斜視図である。なお、左右のキャップ２８，２８（図５参照）は省いてある。
モニタ装置１０は、筐体１１と、筐体１１に回動可能に支持されるモニタ１２と、モニタ１２を筐体１１に保持する保持機構２９と、モニタ１２を回動させる際に指で操作されるボタン１３とを備える。
また、モニタ装置１０は、モニタ１２が回動するための左右一対の回動軸３１，３１と、モニタ１２が筐体１１の凹部１１ａ内に収納された状態でモニタ１２を係止するロック機構２１とを備える。
【００２８】
筐体１１の側壁１１ｆ，１１ｇの後部には、回動軸３１，３１の各固定部３１ａが支持される回動軸支持部１１ｗ，１１ｗが設けられ、回動軸支持部１１ｗ，１１ｗにそれぞれキャップ２８（図５参照）が固定される。
回動軸３１の固定部３１ａは、円筒をその軸方向に沿って半分に切断するように形成された半円筒形状を成している。固定部３１ａの半円筒形状の一対の端面３１ｃ，３１ｃは、回動軸支持部１１ｗの端面１１ｘに当てられ、この状態で回動軸支持部１１ｗにキャップ２８が固定される。固定部３１ａは、図示せぬ締結部材によって回動軸支持部１１ｗに固定されても良い。
モニタ１２に画像、映像等の電気信号を送ったり電力を供給したりする導線は、モニタ装置１０の外部から、筐体１１の回動軸支持部１１ｗの中空部を通り、更に回動軸３１の固定部３１ａ内、回動軸３１の挿入部３１ｂ（図５参照）内を通ってモニタ１２に至る。
【００２９】
図７は、ボタン１３とロック機構２１の一部とを示す分解斜視図である。
ボタン１３は、その左右の側壁１３ｃ，１３ｃ（一方の側壁１３ｃのみ図示）に、それぞれボタン１３の上端から下方に延びる一対のスリット１３ｄ，１３ｄ（一方のスリット１３ｄのみ図示）が形成され、これによって舌状部１３ｅが形成されている。舌状部１３ｅは、上縁に側方に突出する側方突出部１３ｆを備える。
図６及び図７において、ボタン１３を筐体１１のボタン収納部１１ｐに組み付けるには、筐体１１の下方からボタン１３をボタン収納部１１ｐ内に挿入する。このとき、ボタン１３の左右の舌状部１３ｅ，１３ｅ（一方の舌状部１３ｅのみ図示）がボタン１３の内側に撓んで側方突出部１３ｆ，１３ｆ（一方の側方突出部１３ｆのみ図示）が、ボタン収納部１１ｐを形成する左右の側壁１１ｎ，１１ｎ（一方の側壁１１ｎのみ図示）のスリット１１ｙ，１１ｙ（一方のスリット１１ｙのみ図示）内に嵌る。これで、ボタン１３は、スリット１１ｙ，１１ｙに沿って上下スライド可能になる。スリット１１ｙは、側壁１１ｎの上縁から下方に延び、側壁１１ｎの下縁より上方に下端部を有するため、側方突出部１３ｆがスリット１１ｙの下端部に当たることで、ボタン１３は、ボタン収納部１１ｐから下方に抜けなくなる。
【００３０】
フック部材２４は、一対のフック２４ａ，２４ａ、回動軸２４ｂ、一対の延出部２４ｃ，２４ｃ及び一対のボタン当接部２４ｄ，２４ｄを一体に備える。
一対の延出部２４ｃ，２４ｃは、一対のフック２４ａ，２４ａの突出方向とは反対側に延びている。一対のボタン当接部２４ｄ，２４ｄは、延出部２４ｃ，２４ｃのそれぞれの先端部に円柱状に形成され、延出部２４ｃ，２４ｃよりもフック部材２４の長手方向中央側に突出している。一対のボタン当接部２４ｄ，２４ｄは、ボタン１３の上端部に当てられる。
【００３１】
ねじりコイルばね２５は、コイル部２５ａ、一端延出部２５ｂ及び他端延出部２５ｃからなる。
コイル部１５ａには、回動軸２４ｂの一端部が挿入される。一端延出部２５ｂは、コイル部２５ａの一端から略半径方向外側に延び、筐体１１のフック支持部１１ｋ（図３参照）に掛けられる。他端延出部２５ｃは、コイル部２５ａの他端から略半径方向外側に延び、更に、屈曲して軸方向に延び、フック部材２４の一方の延出部２４ｃの上部に掛けられる。これにより、フック部材２４は、フック２４ａ，２４ａがモニタ１２（図６参照）に係止される方向に付勢される。
【００３２】
図８は、ボタン１３、ロック機構２１及びその周囲を示す断面図である。図８（Ａ）は図５の８Ａ−８Ａ線断面図、図８（Ｂ）は図５の８Ｂ−８Ｂ線断面図である。
図８（Ａ）に示すように、モニタ１２の端面第１凹部１２ｄは、一端面１２ｃに備える上部突出部１２ｊと下部突出部１２ｋとの間に形成され、上部突出部１２ｊ及び下部突出部１２ｋに対して凹んだ部分である。
筐体１１のボタン収納部１１ｐにはボタン１３が上下スライド可能に収納されている。
【００３３】
ボタン収納部１１ｐの側壁１１ｎには上下方向に延びるスリット１１ｙが形成されている。
ねじりコイルばね２５（図７参照）の弾性力は、フック部材２４の延出部２４ｃに加わる。この結果、フック部材２４のボタン当接部２４ｄがボタン１３の上部に当てられ、ボタン１３が下方に付勢される。
ボタン収納部１１ｐは、その上端部となる天井部１１Ｔを備える。天井部１１Ｔは、ボタン１３のスライド上限位置を規制する。
【００３４】
図１及び図８（Ａ）に示したように、モニタ１２の一端面１２ｃは、凹形状の指掛け部としての端面第１凹部１２ｄを備える。この構成によれば、モニタ１２の一端面１２ｃに指を掛けやすくすることができ、使い勝手を向上させることができる。
【００３５】
図８（Ｂ）に示すように、モニタ１２の端面第２凹部１２ｅは、一端面１２ｃに備える上部突出部１２ｍと下部突出部１２ｎとの間に形成され、上部突出部１２ｍ及び下部突出部１２ｎに対して凹んだ部分である。
ねじりコイルばね２５（図７参照）の弾性力によって、ボタン１３の側方突出部１３ｆは、筐体１１のスリット１１ｙ内に位置するとともに、スリット１１ｙの下端部１１ｚに当てられる。即ち、ボタン１３は、スライド範囲の最下端に位置する。
【００３６】
フック部材２４のフック２４ａ，２４ａ（一方のフック２４ａのみ図示）は、ねじりコイルばね２５の弾性力によってモニタ１２の一端面１２ｃの端面第２凹部１２ｅ，１２ｅ（一方の端面第２凹部１２ｅのみ図示）に係止される。詳しくは、フック２４ａは、端面第２凹部１２ｅの上部突出部１２ｍ及び下部突出部１２ｎのうち、上部突出部１２ｍに係止される。これにより、モニタ１２は、筐体１１の凹部１１ａ内にロックされた状態にある。図８（Ａ），（Ｂ）中の矢印は、ねじりコイルばね２５（図７参照）がフック部材２４を付勢する付勢力の方向を示している。この付勢力は、回動軸２４ｂ回りに生じている。
【００３７】
図９は、モニタ装置１０の作用を示す作用図である。図９（Ａ）はモニタ１２を筐体１１内に収納した状態を示す図、図９（Ｂ）はボタン１３を操作してモニタ１２の回動を開始する状態を示す図、図９（Ｃ）はモニタ１２を回動中の状態を示す図である。
図９（Ａ）に示すように、モニタ１２は、筐体１１の凹部１１ａ内に収納され、底壁１１ｃに沿って配置されている。モニタ１２の表示部１２ｂは、底壁１１ｃに面しているので、外部に露出せず、外部からの干渉に対して保護されている。
また、ボタン１３の押圧面１３ｂは、モニタ１２の外面１２ｆと面一となるように配置される。モニタ１２の端面第１凹部１２ｄ及び端面第２凹部１２ｅ，１２ｅ（図６参照）が形成された一端面１２ｃは、ボタン１３及び凹部１１ａの前壁１１ｂによって覆われ、外部に露出していない。
【００３８】
フック部材２４は、図９（Ａ）においては、ねじりコイルばね２５（図７参照）の弾性力によって、回動軸２４ｂを中心にして反時計回りに付勢され、フック部材２４のフック２４ａ，２４ａ（一方のフック２４ａのみ図示）がモニタ１２の端面第２凹部１２ｅ，１２ｅに係止された状態にある。これにより、モニタ１２は、筐体１１にロックされた状態にある。
【００３９】
図９（Ａ）に示したように、モニタ１２が筐体１１の凹部１１ａ内に収納された状態では、モニタ１２の表示部１２ｂは、凹部１１ａの底壁１１ｃに面している。この構成によれば、モニタ１２の表示部１２ｂが外部に露出せず、モニタ１２を保護することができる。
【００４０】
図９（Ｂ）に示すように、ボタン１３の押圧面１３ｂに指を当ててボタン１３を白抜き矢印のように上方に押圧する。これにより、ボタン１３は、ねじりコイルばね２５（図７参照）の付勢力に抗して上方にスライドし、ボタン収納部１１ｐの天井部１１Ｔに当たる。このとき、ボタン１３のスライドに伴ってフック部材２４のボタン当接部２４ｄが上昇し、フック部材２４が時計回りに回動される。この結果、フック２４ａ，２４ａ（一方のフック２４ａのみ図示）がモニタ１２の端面第２凹部１２ｅ，１２ｅ（一方の端面第２凹部１２ｅのみ図示）から外れるとともに、モニタ１２の端面第1凹部１２ｄが外部に露出した状態になる。ボタン１３の下方には、指を挿入してモニタ１２の端面第1凹部１２ｄに指を掛けることが可能な空間３５が形成される。
【００４１】
このとき、フック２４ａ，２４ａ（一方のフック２４ａのみ図示）が外れても、モニタ１２は、保持機構２９（図５参照）で発生する保持力によって筐体１１の凹部１１ａ内に静止した状態に保持されている。そこで、指によるボタン１３の押圧操作の進行の終盤でその指をモニタ１２の端面第1凹部１２ｄに掛けて図９（Ｃ）に示すようにモニタ１２の下方への回動を開始し、モニタ１２が起立状態となるまで回動を継続する。このとき、ボタン１３及びフック部材２４は、ねじりコイルばね２５の弾性力によって図９（Ａ）の位置まで戻る。
【００４２】
上記した保持機構２９による保持力（保持トルク）は、モニタ１２が起立した使用状態にあるときに、モニタ１２に移動体からの振動や揺動が伝わっても、モニタ１２の開き角度が変化しない保持力となるように設定されている。
モニタ１２を使用状態から収納状態にするには、手をモニタ１２の外面１２ｆに当て、手でモニタ１２を筐体１１の凹部１１ａまで押し上げる。これにより、フック２４ａ，２４ａ（一方の２４ａのみ図示）が、図９（Ａ）に示したのと同様に、モニタ１２の端面第２凹部１２ｅ，１２ｅ（図８（Ｂ）参照（一方の端面第２凹部１２ｅのみ図示））に係止される。
【００４３】
図７、図８（Ｂ）及び図９（Ａ）〜（Ｃ）に示したように、モニタ１２が筐体１１の凹部１１ａ内に収納された状態では、モニタ１２は、ロック機構２１によって係止される。ロック機構２１は、筐体１１に揺動可能に設けられるとともにモニタ１２に係止可能とされたフック２４ａと、フック２４ａをモニタ１２に係止する方向に付勢する弾性部材としてのねじりコイルばね２５とで構成される。フック２４ａは、ボタン１３の操作に連動してモニタ１２との係止が解除される。この構成によれば、ロック機構２１によって筐体１１の凹部１１ａ内に収納されたモニタ１２を回動しないようにしておくことができる。これによって、指でボタン１３を押す動作と、その指をモニタ１２の一端面１２ｃに掛けてモニタ１２を回動させる動作とを一つの動作（１アクション）とすることができる。
【００４４】
図１、図５及び図９（Ａ）〜（Ｃ）に示したように、モニタ装置１０は、ベース部としての筐体１１と、筐体１１に回動可能に支持されるモニタ１２と、モニタ１２を筐体１１に保持する保持機構２９と、モニタ１２を回動させる際に操作される操作部としてのボタン１３とを備える。モニタ１２が筐体１１に保持された状態で、ボタン１３が押圧操作されることにより、モニタ１２の一端面１２ｃに隣接して空間３５が形成され、ボタン１３が押圧操作された状態でモニタ１２の一端面１２ｃ（詳しくは、端面第１凹部１２ｄ）に加わる外力によりモニタ１２を回動可能である。
【００４５】
また、ボタン１３を指で押圧操作することにより、ボタン１３を押圧した指を挿入可能な空間３５が形成され、ボタン１３を押圧した指を空間３５に挿入してモニタ１２の一端面１２ｃを操作可能になる。
更に、ボタン１３は、モニタ１２の一端面１２ｃに臨んで配置され、ボタン１３が押圧操作されることにより、ボタン１３が移動して空間３５がモニタ１２の一端面１２ｃに隣接して形成される。
【００４６】
この構成によれば、同じ指でボタンを押圧操作しつつモニタ１２の回動を開始することができ、１アクションでモニタ１２を回動させることができて、操作性を向上させることができる。また、モニタ１２を手動で開閉するため、従来のような、モニタを回動方向に付勢するばね、押すことでロック又はアンロックされるプッシュラッチ、モニタの回動速度を抑えるギアダンパ等が不要になり、部品数を減らすことができ、コストを削減することができる。また、ボタン１３を操作しないときには、モニタ１２の一端面１２ｃをボタン１３で覆って露出しないようにすることができ、外観性を向上させることができる。
【００４７】
また、従来、モニタを保持する保持力は、モニタに手が掛けられる位置まで下げるための保持力と、移動体の振動、揺動に伴うモニタの振れを抑制できる保持力との両方を考慮して決めなければならなかった。これに対して、本実施形態では、モニタ１２の保持力は、モニタ１２を筐体１１の凹部１１ａ内に保持する保持力、又はモニタ１２を起立状態としたときに開き角度が変化しない保持力のいずれか大きい方に設定すれば良く、モニタ装置１０の設計自由度を増すことができる。
【００４８】
＜第２実施形態＞
図１０は、第２実施形態のモニタ装置５０におけるモニタ５２が筐体５１内に収納された状態を示す断面図である。図１０（Ａ）は図５の８Ａ−８Ａ線断面図に相当する図、図１０（Ｂ）は図５の８Ｂ−８Ｂ線断面図に相当する断面図である。なお、第２実施形態において、第１実施形態と同一構成については同一符号を付け、詳細説明は省略する。
図１０（Ａ），（Ｂ）に示すように、モニタ装置５０は、移動体の天井に固定される筐体５１と、筐体５１に回動可能に支持されたモニタ５２と、モニタ５２を回動させる際に操作されるボタン５３と、モニタ５２を係止するロック機構５４とを備える。
【００４９】
筐体５１は、モニタ１２を収納する凹部５１ａを備える。凹部５１ａの前端部には、上方に凹んだ前端凹部５１ｅが形成されている。前端凹部５１ｅは、モニタ５２の一端面５２ｃの上方に位置するとともに、一端面５２ｃよりも前方から一端面５２ｃよりも後方まで延びている。
モニタ５２は、第１実施形態のモニタ１２（図８（Ａ），（Ｂ）参照）に対して一端面５２ｃのみ異なる。詳しくは、モニタ１２の一端面５２ｃは、端面第１凹部５２ｄと、端面第１凹部５２ｄの両側に形成された一対の端面第２凹部１２ｅ，１２ｅ（図６参照）とを備える。端面第１凹部５２ｄは、一端面５２ｃに備える下部突出部５２ｅに対して後方に凹んだ部分である。
【００５０】
ボタン５３は、筐体５１に回動可能に支持された回動軸５３ａと、指で操作される押圧部５３ｂとを一体に備える。押圧部５３ｂは、指が当てられる押圧面５３ｃを備える。
ロック機構５４は、筐体５１に回動可能に支持されたフック部材５６と、フック部材５６を回動方向に付勢するねじりコイルばね２５（図７参照）とを備える。フック部材５６は、筐体５１に回動可能に支持される回動軸５６ｂと、モニタ１２の端面第２凹部１２ｅ，１２ｅに係止可能な一対のフック５６ａ，５６ａ（一方のフック５６ａのみ図示）と、ボタン５３の内面５３ｄが当てられるボタン当接部５６ｃとを一体に備える。
【００５１】
図１０（Ａ），（Ｂ）中の矢印は、ねじりコイルばね２５がフック部材５６を付勢する付勢力の方向を示している。この付勢力は、回動軸５６ｂ回りに生じている。この付勢力により、フック５６ａ，５６ａは、モニタ１２の端面第２凹部１２ｅ，１２ｅに係止する方向に付勢され、ボタン５３は、その一端面５３ｅが筐体５１の前壁５１ｂの下端面５１ｃに当たるように付勢されている。即ち、筐体５１の下端面５１ｃは、ボタン５３の回動のストッパとなる。ボタン５３の一端面５３ｅが筐体５１の下端面５１ｃに当たった状態では、ボタン５３の押圧面５３ｃとモニタ１２の外面１２ｆとは面一に配置されている。また、筐体５１の下面とモニタ１２の外面１２ｆも面一に配置されている。これにより、筐体５１、モニタ５２及びボタン５３のフラッシュサーフェス化が図られている。
また、モニタ装置５０は、第１実施形態と同様に、モニタ５２を筐体５１に保持する保持機構２９（図５参照）（モニタ５２が回動するための左右一対の回動軸３１，３１（図５参照）を含む）とを備える。
【００５２】
図１１は、モニタ装置５０の作用を示す作用図である。図１１（Ａ）はモニタ５２を筐体５１内に収納した状態を示す図、図１１（Ｂ）はボタン５３を操作してモニタ５２の回動を開始する状態を示す図、図１１（Ｃ）はモニタ５２を回動中の状態を示す図である。
図１１（Ａ）に示すように、モニタ５２は、筐体５１の凹部５１ａ内に収納され、筐体５１の底壁５１ｄに沿って配置されている。モニタ５２の表示部１２ｂは、底壁５１ｄに面しているので、外部に露出せず、外部からの干渉に対して保護されている。
【００５３】
また、ボタン５３の押圧面５３ｃは、モニタ５２の外面１２ｆと面一となるように配置され、モニタ５２の端面第１凹部５２ｄ及び端面第２凹部１２ｅ，１２ｅ（図６参照）が形成された一端面５２ｃは、ボタン５３及び凹部５１ａの前壁５１ｂによって覆われ、外部に露出していない。
フック部材５６は、図１１（Ａ）においては、ねじりコイルばね２５（図７参照）の弾性力によって、回動軸５６ｂを中心にして反時計回りに付勢され、フック部材５６のフック５６ａ，５６ａ（一方のフック５６ａのみ図示）がモニタ１２の端面第２凹部１２ｅ，１２ｅに係止された状態にある。これにより、モニタ１２は、筐体５１にロックされた状態にある。
【００５４】
図１１（Ｂ）に示すように、ボタン５３の押圧面５３ｃに指を当ててボタン５３を上方に押圧する。これにより、ボタン５３は、白抜き矢印Ａで示すように、ねじりコイルばね２５（図７参照）の付勢力に抗して上方に揺動する。このとき、ボタン５３の揺動に伴って、ボタン５３でボタン当接部５６ｃが押し上げられ、フック部材５６が矢印Ｂで示すように揺動する。この結果、フック５６ａ，５６ａ（一方のフック５６ａのみ図示）がモニタ５２の端面第２凹部１２ｅ，１２ｅ（一方の凹部１２ｅのみ図示）から外れるとともに、モニタ５２の端面第1凹部５２ｄが外部に露出した状態になる。このとき、フック５６ａ，５６ａが外れても、モニタ５２は、保持機構２９（図５参照）による保持力によって筐体５１の凹部５１ａ内に静止した状態に保持される。
そこで、指によるボタン５３の押圧操作の進行の終盤でその指をモニタ１２の端面第1凹部５２ｄに掛けて図１１（Ｃ）に示すようにモニタ５２の下方への回動を開始し、モニタ１２が起立状態となるまで回動を継続する。このとき、ボタン５３及びフック部材５６は、ねじりコイルばね２５の弾性力によって図１１（Ａ）の位置まで戻る。
【００５５】
モニタ５２を使用状態から収納状態にするには、手をモニタ５２の外面１２ｆに当て、手でモニタ５２を筐体５１の凹部５１ａまで押し上げる。これにより、フック５６ａ，５６ａが、図１１（Ａ）に示したのと同様に、モニタ５２の端面第２凹部１２ｅ，１２ｅに係止される。
図１１（Ｂ）において、モニタ装置５０は、ボタン５３を回動軸５３ａを中心にして揺動させる構造と、凹部５１ａに前端凹部５１ｅを有する構造とを有する。この構造により、ボタン５３を押し上げたときに、ボタン５３とモニタ５２の一端面５２ｃとの間に指を挿入する大きな空間５８を形成することができる。これにより、爪の長い指でも、容易に挿入できるとともにモニタ５２の端面第１凹部５２ｄに容易に掛けることができ、モニタ５２の回動をスムーズに行うことができて、操作性を向上させることができる。
【００５６】
上述した実施形態は、あくまでも本発明の一態様を示すものであり、本発明の主旨を逸脱しない範囲で任意に変形及び応用が可能である。
例えば、図５及び図６に示した保持機構２９については、摩擦部材３３を用いたものに限らない。要は、所定の保持力が設定できれば良い。
また、図１に示したように、モニタ１２の表示部１２ｂを、モニタ１２を収納したときに筐体１１の凹部１１ａの底壁１１ｃに面する内面１２ａに設けたが、これに限らず、モニタ１２の外面１２ｆに設けても良い。
また、モニタ装置１０は、移動体以外、例えば、居室、通路、カプセル等の天井が低く、人が入る空間内に設けても良い。
【符号の説明】
【００５７】
１０，５０  モニタ装置
１１，５１  筐体（ベース部）
１１ａ，５１ａ  凹部
１２，５２  モニタ
１２ｂ  表示部
１２ｄ，５２ｄ  端面第１凹部（指掛け部）
１３，５３  ボタン（操作部）
１３ｂ，５３ｃ  押圧面
２１，５４  ロック機構
２４ａ，５６ａ  フック
２５  ねじりコイルばね（弾性部材）
２９  保持機構
３５，５８  空間
【図１】
2018090193.tif 000003
【図２】
2018090193.tif 000004
【図３】
2018090193.tif 000005
【図４】
2018090193.tif 000006
【図５】
2018090193.tif 000007
【図６】
2018090193.tif 000008
【図７】
2018090193.tif 000009
【図８】
2018090193.tif 000010
【図９】
2018090193.tif 000011
【図１０】
2018090193.tif 000012
【図１１】
2018090193.tif 000013